(57)【要約】【課題】離型材を容易迅速に剥がすことができる袋体を提供する。【解決手段】離型材４が、粘着剤層３に離脱可能に固定される本体部４Ａと、袋本体２の長手方向に沿う本体部４Ａの一端で封緘部８の遊端側へ折り返される引張り部４Ｂとを備えている。【選択図】図１
2015016896.tif 000002
【特許請求の範囲】
【請求項１】
向かい合わせに位置する前側部と後側部とを有する袋本体の長手方向一端側に開口が形成され、前記前側部及び前記後側部のうちの一方の開口側端を他方の開口側端よりも延出させて一方の開口側端に封緘部が形成され、前記封緘部を他方の開口側端部に重なるように折り曲げることで該封緘部と該他方の開口側端部とを接着する粘着剤層を該封緘部又は該他方の開口側端部に備え、前記粘着剤層を覆うための離型材を備えている袋体であって、
前記離型材は、前記粘着剤層に離脱可能に固定される本体部と、前記袋本体の長手方向に沿う本体部の一端で前記封緘部の遊端側へ折り返される引張り部とを備えていることを特徴とする袋体。
【請求項２】
前記引張り部の遊端が、これに対応する前記本体部の同一側の端から前記袋本体の長手方向外側に突出していることを特徴とする請求項１に記載の袋体。
【請求項３】
前記引張り部の遊端が、前記封緘部の遊端から前記袋本体の長手方向外側に突出していることを特徴とする請求項１又は２に記載の袋体。
【請求項４】
前記本体部の左右幅方向両端とこれに対応する前記引張り部の左右幅方向両端とが熱溶着されていることを特徴とする請求項１〜３のいずれか１項に記載の袋体。
【請求項５】
向かい合わせに位置する前側部と後側部とを有する袋本体の長手方向一端側に開口が形成され、前記前側部及び前記後側部のうちの一方の開口側端を他方の開口側端よりも延出させてヘッダ部が形成され、そのヘッダ部の開口側端に前記前側部に重ねることによって前記開口を閉じるための封緘部が形成され、前記封緘部の前側部側の面に粘着剤層を備え、前記粘着剤層を覆うための離型材を備えている袋体であって、
前記離型材は、前記粘着剤層に離脱可能に固定される本体部と、該本体部のヘッダ部側端から折り返されて前記封緘部から外側に露出される引張り部とを備えていることを特徴とする袋体。
【請求項６】
請求項３に記載の袋体の封緘部を他方の開口側端部に重なるように折り曲げて該封緘部を前記他方の開口側端部に押し付けた状態にし、その状態において前記突出している引張り部を引っ張って前記封緘部から剥がすことにより、封緘部を他方の開口側端部に接着することを特徴とする袋体の封緘方法。
【請求項７】
請求項３に記載の袋体に備える離型材の引張り部を支持する支持体を設け、この支持体に複数の袋体の引張り部を支持させ、支持された袋体の袋本体を引っ張ることによって、支持されている離型材から袋本体を離脱させることを特徴とする袋体の離型材離脱方法。
【発明の詳細な説明】
【技術分野】
【０００１】
本発明は、収納物を収納してから、封緘部を内側に折り曲げて封緘部と他方の開口側端部とを粘着剤層で接着して封をすることができる袋体及び袋体の封緘方法並びに袋体の離型材離脱方法に関する。
【背景技術】
【０００２】
上記袋体は、向かい合わせに位置する前側部と後側部とを有する袋本体の長手方向一端（上端）に開口が形成され、後側部の開口側端が前側部の開口側端よりも延出されて封緘部が形成され、封緘部を前側部の開口側端部に重なるように折り曲げることで封緘部と前側部の開口側端部とを接着する粘着剤層を封緘部に備えるとともに、粘着剤層を覆うための離型材を備えて、構成されている。そして、粘着剤層は、封緘部の開口側端部の幅方向略全域に亘るように設けられ、この粘着剤層を覆う離型材も粘着剤層と同様に封緘部の開口側端部の幅方向略全域に亘る長さを有している。
【０００３】
このように構成された袋体に、収納物である商品を包装する場合には、まず商品を開口から袋体の内部に収納する。この収納後、離型材を剥がしてから、封緘部を他方の開口側端部に重なるように折り曲げる。これにより封緘部と前側部の開口側端部とを粘着剤層で接着して封をすることができる。
【０００４】
そして、離型材が、粘着剤層を覆うことができる程度の大きさ、つまり粘着剤層の表面積よりも僅かに大きな面積を有する大きさに設定されている（例えば特許文献１参照）。
【先行技術文献】
【特許文献】
【０００５】
【特許文献１】特開２００４−３４９９０号公報（例えば、図２１参照）
【発明の概要】
【発明が解決しようとする課題】
【０００６】
上記特許文献１の袋体に商品を入れてから離型材を剥がす際に、離型材が、粘着剤層の表面積よりも少し大きな面積を有する大きさであるため、離型材の端を掴み難い。そして、離型材の端を掴んでからは、図９に示すように、袋本体１００の幅方向に長い帯状の離型材１０１を、粘着剤層１０２の表面と直交する方向に引き離すように袋本体１００の幅方向（矢印の方向Ａ）に引っ張ることによって、粘着剤層１０２の表面から離型材１０１を剥がす。このように幅方向に長い離型材１０１を幅方向に引っ張りながら剥がすことは、非常に手間のかかる煩わしい作業になるという不都合があり、改善の余地があった。
【０００７】
本発明が前述の状況に鑑み、解決しようとするところは、離型材を容易迅速に剥がすことができる袋体を提供し、また、接着位置がずれた状態で接着されることを回避できる袋体の封緘方法を提供し、更にまた、多数の離型材を一括して処分することができる袋体の離型材離脱方法を提供する。
【課題を解決するための手段】
【０００８】
本発明の袋体は、前述の課題解決のために、向かい合わせに位置する前側部と後側部とを有する袋本体の長手方向一端側に開口が形成され、前記前側部及び前記後側部のうちの一方の開口側端を他方の開口側端よりも延出させて一方の開口側端に封緘部が形成され、前記封緘部を他方の開口側端部に重なるように折り曲げることで該封緘部と該他方の開口側端部とを接着する粘着剤層を該封緘部又は該他方の開口側端部に備え、前記粘着剤層を覆うための離型材を備えている袋体であって、前記離型材は、前記粘着剤層に離脱可能に固定される本体部と、前記袋本体の長手方向に沿う本体部の一端で前記封緘部の遊端側へ折り返される引張り部とを備えていることを特徴としている。
【０００９】
かかる構成によれば、離型材を剥がす場合には、図４（ｂ）に示すように、引張り部４Ｂを袋本体２の長手方向（粘着剤層３の表面と平行となる方向）に引っ張る。このように引っ張ると、引っ張り力が本体部４Ａを粘着剤層３の表面と直交する方向に変換されることにより、本体部４Ａを粘着剤層３から起き上がらせて容易に剥がすことができる。このとき、図８の従来の離型材１０１を袋本体１００の幅方向に引き剥がすのと同等の大きさの引っ張り力で引き剥がすことができる。因みに、離型材を粘着剤層の表面に対して平行となる方向に引っ張ったときの接着力が強く、離型材を粘着剤層の表面に対して直交する方向に引っ張ったときの接着力が弱い。そして、袋本体の幅方向に長い離型材を、袋本体の長手方向、つまり離型材の長辺方向ではなく短辺方向に引っ張って剥がすことによって、剥がす時間を可及的に短縮することができる。
【００１０】
また、本発明の袋体は、前記引張り部の遊端が、これに対応する前記本体部の同一側の端から前記袋本体の長手方向外側に突出していることが好ましい。
【００１１】
かかる構成によれば、引張り部の遊端が本体部の同一側の端（遊端）から袋本体の長手方向外側に突出していれば、引張り部の遊端を掴みやすく、離型材を剥がす作業を更に迅速に行える。
【００１２】
また、本発明の袋体は、前記引張り部の遊端が、前記封緘部の遊端から前記袋本体の長手方向外側に突出していることが好ましい。
【００１３】
かかる構成によれば、引張り部の遊端が、封緘部の遊端から袋本体の長手方向外側に突出していれば、封緘部の遊端よりも袋本体の長手方向内側に位置している構成に比べて、引張り部の遊端を確実かつ迅速に掴むことができる。
【００１４】
また、本発明の袋体は、前記本体部の左右幅方向両端とこれに対応する前記引張り部の左右幅方向両端とが熱溶着されていてもよい。
【００１５】
かかる構成によれば、本体部と引張り部とが左右幅方向両端で一体化されていれば、粘着剤層に本体部を接着する際に、引張り部が本体部に対して不測に動くことがなく本体部を粘着層に迅速に位置決めすることができる。
【００１６】
また、本発明の袋体は、向かい合わせに位置する前側部と後側部とを有する袋本体の長手方向一端側に開口が形成され、前記前側部及び前記後側部のうちの一方の開口側端を他方の開口側端よりも延出させてヘッダ部が形成され、そのヘッダ部の開口側端に前記前側部に重ねることによって前記開口を閉じるための封緘部が形成され、前記封緘部の前側部側の面に粘着剤層を備え、前記粘着剤層を覆うための離型材を備えている袋体であって、前記離型材は、前記粘着剤層に離脱可能に固定される本体部と、該本体部のヘッダ部側端から折り返されて前記封緘部から外側に露出される引張り部とを備えていることを特徴としている。
【００１７】
かかる構成によれば、離型材を剥がす場合には、図４と（ａ），（ｂ），（ｃ）と同様の原理で粘着剤層から容易に剥がすことができる。図８に離型材４を引っ張る直前の断面図を示している。図８の引張り部４Ｂを袋本体２の長手方向（粘着剤層３の表面と平行となる方向、矢印で示している方向）に引っ張る。このように引っ張ると、前述したように、引っ張り力が本体部４Ａを粘着剤層３の表面と直交する方向に変換されることにより、本体部４Ａを粘着剤層３から起き上がらせて容易迅速に剥がすことができる。
【００１８】
また、本発明の袋体の封緘方法は、請求項３に記載の袋体の封緘部を他方の開口側端部に重なるように折り曲げて該封緘部を前記他方の開口側端部に押し付けた状態にし、その状態において前記突出している引張り部を引っ張って前記封緘部から剥がすことにより、封緘部を他方の開口側端部に接着することを特徴としている。
【００１９】
かかる構成によれば、まず封緘部を他方の開口側端部に重なるように折り曲げて封緘部を他方の開口側端部に位置合わせすることができる。その後、突出している引張り部を引っ張って離型材を封緘部から剥がすことにより、封緘部を他方の開口側端部に粘着剤層で接着する。このようにすることによって、接着位置がずれた状態で封緘部と他方の開口側端部とが接着されることを回避することができる。
【００２０】
また、本発明の袋体の離型材離脱方法は、請求項３に記載の袋体に備える離型材の引張り部を支持する支持体を設け、この支持体に複数の袋体の引張り部を支持させ、支持された袋体の袋本体を引っ張ることによって、支持されている離型材から袋本体を離脱させることを特徴としている。
【００２１】
かかる構成によれば、袋本体の長手方向外側に突出している離型材の引張り部を支持体に支持させておき、支持された袋体の袋本体を引っ張ることによって、支持されている離型材から袋本体を離脱させることができる。これにより、離型材を支持体に残すことができる。このように支持体に残っている不要な多数の離型材を一括して処分することができる利点がある。
【発明の効果】
【００２２】
本発明によれば、本体部と、本体部から折り返される引張り部とを備えた離型材を用いることによって、引張り部を引っ張る力が本体部を容易に剥がすことができる方向への力へ変換されるので、離型材を容易迅速に剥がすことができる袋体を提供することができる。また、接着位置がずれた状態で接着されることを回避できる有用な袋体の封緘方法を提供し、更にまた、多数の離型材を一括して処分することができる有用な袋体の離型材離脱方法を提供することができる。
【図面の簡単な説明】
【００２３】
【図１】袋体の斜視図である。
【図２】離型材を取り付ける直前の状態を示す斜視図である。
【図３】袋体の開口を閉じて封をする工程を示し、（ａ）は離型材を剥がす前の状態を示し、（ｂ）は離型材を剥がした状態を示し、（ｃ）は封緘部と前側部の開口側端部とを粘着剤層で接着して封をした状態を示している。
【図４】離型材を剥がす工程を示し、（ａ）は離型材を剥がす直前の状態を示し、（ｂ）は離型材を剥がし始めた状態を示し、（ｃ）は離型材を半分以上剥がした状態を示している。
【図５】（ａ）は封をする前の袋体の断面図、（ｂ）は封緘部を内側に折り曲げて封緘部と他方の開口側端部とを接着して封をした状態の袋体の断面図である。
【図６】（ａ）は多数の袋体の引っ張り部を支持体に貫通支持した状態を示す断面図、（ｂ）は袋本体を取り外して引張り部のみが支持体に残った状態を示す断面図である。
【図７】（ａ）は離型材を他方の開口側端部に備えた別の形態の袋体の断面図、（ｂ）は本体部と引張り部とがほぼ同一長さに設定された別の形態の離型材を示す断面図である。
【図８】ヘッダ部から延出した封緘部に離型材を備えた別の形態の袋体の断面図である。
【図９】従来の離型材を引き剥がしている状態を示す要部の斜視図である。
【発明を実施するための形態】
【００２４】
以下、本発明の袋体を、図面に基づいて説明する。
【００２５】
図１及び図２に、商品を収納して包装することができる袋体１を示している。この袋体１は、透明な合成樹脂製のフィルム（例えば延伸ポリプロピレンフィルム）からなる袋本体２と、袋本体２に備える粘着剤層３と、粘着剤層３の表面を覆うための離型材４とを備えている。
【００２６】
袋本体２は、向かい合わせに位置する長方形状の前側部５と前側部５も長い長方形状の後側部６とを有し、それら２つの側部５，６の長手方向一端側に開口７が形成されている。そして、後側部６の開口側端を前側部５の開口側端よりも延出させて後側部６の開口側端に横長の長方形状の封緘部８が形成されている。具体的には、前側部５の遊端に対して後側部６の遊端が延出するように、一枚の合成樹脂製のフィルムを折り重ね、折り重ねた側部５，６の左右両横側部を熱溶着することによって一端側に開口７を有する袋本体２が形成される。ここでは、縦長状の袋体１を例に挙げて説明しているが、横長状のものや縦寸法と横寸法が同一の正方形状の袋体１であってもよい。
【００２７】
粘着剤層３は、封緘部８の開口側端とは反対側端に近い部分の表面に横幅に亘る長さを有する所定面積を有する帯状のものから構成されている。また、粘着剤層３は、具体的には、ホットメルト粘着剤やコールドメルト粘着剤、直引き糊などから構成される。また、両面テープを封緘部８に貼り付けて両面テープの表面側の粘着剤層から粘着剤層３を構成してもよい。このように構成された封緘部８を前側部５の開口側端部５Ａに重なるように折り曲げることで封緘部８と前側部５の開口側端部５Ａとを粘着剤層３で接着することができる。
【００２８】
離型材４は、厚みが２５μｍの高密度ポリエチレン（ＨＤＰＥ）や厚みが２５μｍの二軸延伸ポリプロピレン（ＯＰＰ）フィルムの他、二軸延伸ポリプロピレン（ＯＰＰ）フィルムの表面にアルミニウムを蒸着したもの（厚みが２０μｍ）などから構成されている。離型材４の粘着剤層３に接触する表面には、粘着剤層３の粘着剤がくっ付き難いようにシリコーン層を備えることが好ましい。離型材４として、上記した合成樹脂フィルム以外の合成樹脂フィルムを用いてもよい。また、合成樹脂フィルムの厚みは、どのような厚みに設定してもよい。
【００２９】
また、離型材４は、粘着剤層３の表面に離脱可能に固定される横長状で長方形状の本体部４Ａと、袋本体２の長手方向に沿う本体部４Ａの一端で封緘部８の遊端側へ折り返される引張り部４Ｂとを備えている。
【００３０】
引張り部４Ｂの遊端４ｂが、これに対応する本体部４Ａの同一側の端から袋本体２の長手方向外側に突出している。袋本体２の長手方向における引張り部４Ｂの突出長さは、本体部４Ａの長さの略３倍の長さになっているが、これに限定されない。このように、引張り部４Ｂの遊端４ｂが本体部４Ａの同一側の端（遊端）から袋本体２の長手方向外側に突出していれば、引張り部４Ｂの遊端４ｂを掴みやすく、離型材４を剥がす作業を更に迅速に行える。
【００３１】
また、引張り部４Ｂの遊端４ｂが、封緘部８の遊端８Ａから袋本体２の長手方向外側に突出している。このように、引張り部４Ｂの遊端が、封緘部８の遊端８Ａから袋本体の長手方向外側に突出していれば、封緘部８の遊端８Ａよりも袋本体２の長手方向内側に位置している構成に比べて、引張り部４Ｂの遊端４ｂを確実かつ迅速に掴むことができる。
【００３２】
本体部４Ａの左右幅方向両端とこれに対応する引張り部４Ｂの左右幅方向両端とが熱溶着されている。図２に熱溶着されている部分４Ｌ，４Ｒを×のマークで示している。このように、本体部４Ａと引張り部４Ｂとが左右幅方向両端で一体化していれば、粘着剤層３に本体部４Ａを接着する際に、引張り部４Ｂが本体部４Ａに対して不測に動くことがなく本体部４Ａを粘着層３に迅速に位置決めすることができる。
【００３３】
このように構成された袋体１に商品を入れて封をする工程について説明すれば、図３（ａ）に示すように、袋体１を用意し、この状態において商品（図示せず）を入れてから、離型材４の引張り部４Ｂを掴んで矢印方向（図では上方向）へ引っ張ることによって、図３（ｂ）に示すように離型材４を剥がす。この状態において、封緘部８を前側部５の開口側端部５Ａに重なるように折り曲げることで封緘部８と前側部５の開口側端部５Ａとを粘着剤層３で接着して封をする。
【００３４】
前記離型材４の引張り部４Ｂを掴んで粘着剤層３から剥がすことについて詳述する。図４（ａ）に示す状態（前述した商品を入れた状態）で、離型材４の引張り部４Ｂの遊端４ｂを掴んで袋本体２から離間する方向、つまり矢印方向（図では上方向）へ引っ張る。このように引っ張ると、引っ張り力が本体部４Ａを粘着剤層３の表面と直交する方向に変換されることにより、本体部４Ａを粘着剤層３から起き上がらせて容易に剥がすことができる（図４（ｂ），（ｃ）参照）。このとき、図８の従来の離型材１０１を袋本体１００の幅方向に引き剥がすのと同等の大きさの引っ張り力で引き剥がすことができる。因みに、離型材４を粘着剤層３の表面に対して平行となる方向に引っ張ったときの接着力が強く、離型材４を粘着剤層３の表面に対して直交する方向に引っ張ったときの接着力が弱い。そして、袋本体の幅方向に長い離型材４を、袋本体２の長手方向、つまり離型材４の長辺方向ではなく短辺方向に引っ張って剥がすことによって、剥がす時間を可及的に短縮することができる。
【００３５】
尚、本発明は、前記実施形態に限定されるものではなく、本発明の要旨を逸脱しない範囲で種々の変更が可能である。
【００３６】
前記実施形態では、袋体１を封緘する封緘方法として、離型材４を剥がしてから、袋体２の封緘部８を前側部５の開口側端部５Ａに重なるように折り曲げて封緘する封緘方法を示したが、図５（ａ）に示す状態から、矢印で示すように袋体１の封緘部８を前側部５の開口側端部５Ａに重なるように折り曲げて封緘部８を前側部５の開口側端部５Ａに押し付けた状態にし（図５（ｂ）参照）、その状態において突出している引張り部４Ｂを図５（ｂ）の矢印方向へ引っ張って封緘部８から離型材４を剥がすことにより、封緘部８を前側部５の開口側端部５Ａに粘着剤層３で接着して封緘する封緘方法であってもよい。このように構成すれば、封緘部８を前側部５の開口側端部５Ａに重なるように折り曲げて封緘部８を前側部５の開口側端部５Ａに位置合わせすることができる。その後、突出している引張り部４Ｂを引っ張って封緘部８から離型材４を剥がすことにより、封緘部８を前側部５の開口側端部５Ａに接着する。これによって、接着位置がずれた状態で封緘部８と前側部５の開口側端部５Ａとが接着されることを回避することができる。
【００３７】
また、前記実施形態では、一枚の袋体１の離型材４を離脱させる離型材離脱方法を示したが、図６（ａ）に示すように、袋体１に備える離型材４の引張り部４Ｂを貫通支持する支持体９を設け、この支持体９に複数の袋体１の引張り部４Ｂを貫通支持させ、貫通支持された袋体１の袋本体２を矢印の方向（図の左側）に引っ張ることによって、貫通支持されている離型材４から袋本体２を離脱させる離型材離脱方法でもよい。支持体９は、引張り部４Ｂを貫通する棒状部９Ａと、棒状部９Ａの下端に一体化された円盤状の土台部９Ｂとからなっているが、これに限定されるものではない。また、棒状部９Ａの先端（上端）から引張り部４Ｂを貫通させる場合には、引張り部４Ｂに棒状部９Ａの先端（上端）が通過できる貫通孔を予め形成しておく、又は棒状部９Ａの先端（上端）を尖がった先細り形状にして引張り部４Ｂを突き刺すことによって貫通させるようにしてもよい。このように、袋本体２の長手方向外側に突出している離型材４の引張り部４Ｂを支持体９に貫通支持させておき、貫通支持された袋体１の袋本体２を引っ張ることによって、貫通支持されている離型材４から袋本体２を離脱させることができる。これによって、離型材４が支持体９に残すことができる。このように多数の離型材４を支持体に残すことによって、不要な多数の離型材４を一括して処分することができる利点がある。図６（ａ），（ｂ）では、離型材４の引張り部４Ｂを貫通支持する支持体９を用いたが、離型材４の引張り部４Ｂを挟持するクリップや係止により保持するフック部から支持体を構成して実施することもできる。
【００３８】
また、前記実施形態では、粘着剤層３を封緘部８に備えたが、図７（ａ）に示すように、粘着剤層３を前側部５の開口側端部５Ａに備え、この開口側端部５Ａに備えた粘着剤層３を覆う離型材４を備えてもよい。この場合には、離型材４の遊端４ｂが封緘部８の遊端８Ａから外側へ突出しないことになるが、開口側端部５Ａの開口端５ａから封緘部８の遊端８Ａ側へ突出することになり、離型材４の遊端４ｂを掴み難いといったことを回避することができる。
【００３９】
また、前記実施形態では、引張り部４Ｂの遊端４ｂが、これに対応する本体部４Ａの同一側の端から袋本体２の長手方向外側に突出しているが、図７（ｂ）に示すように、引張り部４Ｂの遊端４ｂが、これに対応する本体部４Ａの同一側の端（遊端）４ａから袋本体２の長手方向外側に突出しないように構成してもよい。つまり、引張り部４Ｂの袋本体２の長手方向の長さと本体部４Ａの袋本体２の長手方向の長さとを同じ長さ又は本体部４Ａよりも短い長さに設定してもよい。
【００４０】
また、前記実施形態では、本体部４Ａの左右幅方向両端とこれに対応する引張り部４Ｂの左右幅方向両端とを熱溶着した場合を示したが、熱溶着せず、一体化しない構成であってもよい。例えば図７（ｂ）に一体化していない状態を示している。
【００４１】
また、前記実施形態で示した袋体１を図８で示す袋体１に構成してもよい。図８に示すように、向かい合わせに位置する前側部５と後側部６とを有する袋本体２の長手方向一端側に開口７が形成され、前側部５及び後側部６のうちの一方の開口側端を他方の開口側端よりも延出させてヘッダ部１０が形成され、そのヘッダ部１０の開口側端に前側部５に重ねることによって開口７を閉じるための封緘部８が形成され、封緘部８の前側部５側の面８Ａに粘着剤層３を備え、粘着剤層３を覆うための離型材４を備えている。離型材４は、粘着剤層３に離脱可能に固定される本体部４Ａと、本体部４Ａのヘッダ部１０側端から折り返されて封緘部８から外側に露出される引張り部４Ｂとを備えている。従って、引張り部４Ｂを図の矢印方向に引っ張ることによって、離型材４を剥がした後、封緘部８を前側部５に重ねることによって封緘部８を前側部５に固定して封をする。尚、ヘッダ部１０は、後側部６を折り返して開口７側端を熱溶着することによって、封印部１０Ａを備えている。また、封印部１０Ａによって閉じられた空間内に補強板を入れてヘッダ部１０の強度を高めてもよい。また、離型材４を剥がすときの状態は、図４（ａ），（ｂ），（ｃ）と同様であるため、説明は省略する。
【００４２】
また、前記実施形態で示した離型材４は、人為的に剥がす他、機械を用いて剥がすことができる。
【符号の説明】
【００４３】
１…袋体、２…袋本体、３…粘着剤層、４…離型材、４Ａ…本体部、５…前側部、５Ａ…開口側端部、５ａ…開口端、６…後側部、７…開口、８…封緘部、８Ａ…遊端、９…支持体、９Ａ…棒状部、９Ｂ…土台部、１００…袋本体、１０１…離型材、１０２…粘着剤層
【図１】
2015016896.tif 000003
【図２】
2015016896.tif 000004
【図３】
2015016896.tif 000005
【図４】
2015016896.tif 000006
【図５】
2015016896.tif 000007
【図６】
2015016896.tif 000008
【図７】
2015016896.tif 000009
【図８】
2015016896.tif 000010
【図９】
2015016896.tif 000011